(57)【要約】【課題】飲料や結露の水滴などの垂れでテーブルが濡れるのを防止することができ、かつ、複数の容器が不要で、簡易に製造することができ、容器の使い捨てする必要のない飲料用容器を提供する。【解決手段】飲料用容器１０は、飲料が注がれる本体１と持ち手であるハンドル２とハンドル２の底面方向に接合された底体３からなり、ハンドル２と底体３とが本体１を底体３の上方に離間して支持可能な構造である。【選択図】図１
2018027148.tif 000002
【特許請求の範囲】
【請求項１】
飲料が注がれる本体と、
前記本体を支える底体と、
前記本体と前記底体とを繋げる合わせるための接合部材からなることを特徴とする飲料用容器。
【発明の詳細な説明】
【技術分野】
【０００１】
本発明は、飲み物を飲料するために使用する飲料用容器に関する。
【背景技術】
【０００２】
飲料用容器として、様々な容器が販売・使用されている。また、飲料用容器の水滴の跡がテーブル面に残らないようにコースター等でカバーすることが行われている。例えば、特許文献１には、テーブル面を濡らさないようにするために、筒状に形成された立体コースターの底面部に水滴を受ける受け底部を設け、内部には水分が外部へこぼれないように水受けを設け、該立体コースター上部内壁にゴムシートを取り付け、ゴムシートには水滴を内部へ案内する溝を複数カ所設けた立体コースターが提案されている。
【先行技術文献】
【特許文献】
【０００３】
【特許文献１】特開２０１４−５４５０３号公報
【発明の概要】
【発明が解決しようとする課題】
【０００４】
しかし、上記特許文献１においては、コースターを準備する手間がかかり、グラスそのものの形状等を工夫すれば、テーブル面を濡らしてしまうという問題も解決する。
【０００５】
本発明は、前述した事情に鑑みてなされたものであり、飲料や結露の水滴などの垂れでテーブルが濡れるのを防止することができる飲料用容器を提供することを目的とする。
【課題を解決するための手段】
【０００６】
上記目的を達成するために、本発明では、飲料が注がれる本体と、本体を支える底体と、本体と底体とを繋げる合わせるための接合部材からなることを特徴とする飲料用容器を提供する。
【発明の効果】
【０００７】
本発明によれば、本体が底体と離間した状態でハンドル及び底体で支持されるので、本体の縁から伝わって飲料が垂れたり、本体の側面に生じる結露の水滴が垂れても、飲料や水滴がテーブル面まで伝わらず、飲料や水滴でテーブルが濡れるのを防止することができるという効果を奏する。
【図面の簡単な説明】
【０００８】
【図１】実施形態に係る飲料用容器の構成を示す図である。
【図２】実施形態に係る飲料用容器の構成を示す断面図及び平面図である。
【図３】ハンドルと底体とを取り外した状態を示す図である。
【図４】ハンドルと本体とを取り外した状態を示す図である。
【図５】実施形態に係る飲料用容器の第１変形例の構成を示す図である。
【図６】実施形態に係る飲料用容器の第２変形例の構成を示す図である。
【発明を実施するための形態】
【０００９】
以下、本発明の実施形態について図面を参照して説明する。ただし、本発明はこれに限定されるものではない。また、図面においては、実施形態を説明するため、一部分を大きく又は強調して記載するなど適宜縮尺を変更して表現することがある。
【００１０】
以下の各図において、ＸＹＺ座標系を用いて図中の方向を説明する。このＸＹＺ座標系においては、飲料用容器が置かれるテーブルの面（水平面）に平行な平面をＸＹ平面とする。このＸＹ平面において飲料用容器のハンドル（持ち手、取っ手）が付いている方向をＸ方向と表記し、Ｘ方向に直行する方向をＹ方向と表記する。ＸＹ平面に垂直な方向をＺ方向と表記する。Ｘ方向、Ｙ方向及びＺ方向のそれぞれは、図中の矢印の方向が＋方向であり、矢印の方向とは反対の方向が−方向であるものとして説明する。
【００１１】
図１は、実施形態に係る飲料用容器１０の構成を示す図である。図１（Ａ）は飲料用容器１０を＋Ｙ方向に見た図であり、図１（Ｂ）は飲料用容器１０を−Ｘ方向に見た図である。この飲料用容器１０は、飲み物（飲料）を飲料するために使用する容器であれば、コップ、カップ、グラスなどのいずれの呼称の容器でもよい。図１に示すように、飲料用容器１０は、飲み物が注がれる容器の本体１と、持ち手であるハンドル２と、そのハンドル２の底面方向（−Ｚ方向）に接合された底体３とを備えている。
【００１２】
本体１は、上側（＋Ｚ側）が開口した内部が中空の容器であって、その形状は略円筒形に形成されている。本体１の内部に飲み物が注がれる（入れられる）。なお、本体１の形状は略円筒形としているが、このような形状に限定されず、四角柱形などであってもよい。ハンドル２の一端が本体１の側面の接合部Ｓ２に取り付けられ、ハンドル２の他端が本体１の底面より下方（−Ｚ方向）の位置まで延びて底体３の接合部Ｓ１に取り付けられている。ハンドル２は、使用者が持ちやすいように使用者の手の握りに合わせた形状に湾曲している。
【００１３】
底体３は、飲料用容器１０がテーブル（図示せず）に載置されるときに、テーブルの面と接触する部分である。底体３は本体１の底面の下方（−Ｚ方向）に設けられる。本体１は、底体３とハンドル２とによって、本体１の底面と底体３の上面とが所定距離だけ離れた状態（すなわち空中に浮いた状態）で支持される。ハンドル２及び底体３が本体１の支持部材を構成する。ハンドル２は、使用者が持つための持ち手（取っ手）の機能と本体１を支持する機能とを兼ね備えていることとなる。本実施形態では、ハンドル２は、本体１と底体３とを接合しているので、接合部材ともいう。
【００１４】
図２は、実施形態に係る飲料用容器１０の構成を示す断面図及び平面図である。図１（Ａ）は図１（Ｂ）のＭ―Ｍ線に沿った断面図であり、図２（Ｂ）は飲料用容器１０を上から見た平面図である。図２（Ａ）に示すように、本体１の縁１Ａは、本体１の側面よりも若干外側に開いている。また、図２（Ｂ）に示すように、底体３（点線で示した部分）は、円板状であって、本体１の真下に位置している。なお、底体３は円板状に限定されず、方形状、三角形状などであってもよい。底体３の面積は本体１の底面の面積よりも広くなるような構造であることが好ましい。
【００１５】
以上のように、本実施形態では、本体１が底体３と離間した状態でハンドル２及び底体３で支持されるので、本体１の縁１Ａの飲み口（口が触れる部分）から伝わって飲料が垂れたり、本体１の側面（表面）に生じる結露の水滴が垂れても、飲料や水滴がテーブル面まで伝わりにくい構造となっている。すなわち、飲料や水滴が本体１の側面や底面から垂れても、飲料や水滴が底体３の上面に落ちるため、飲料や水滴がテーブル面まで伝わらずテーブルが濡れない。従って、飲料用容器１０における飲料や水滴が垂れて、テーブルに飲料用容器１０の底面の形の跡がついてしまうことを防止することができ、コースター等を使用する必要もなくなる。
【００１６】
なお、本体１から垂れた飲料や水滴が底体３の上面で留まるように、底体３の上面が凹んでいてもよい。また、上記した構成では、ハンドル２は、持ち手としての機能と本体１を支持する機能とを兼ね備えているが、持ち手としてのハンドル２とは別に、本体１と底体３とを接合する接合部材を取り付けてもよい。また、本体１の側面からハンドル２（腕）が出て底体３に接合する構造及び形状は、本体１とその中に入る飲み物を十分に支える強度を持ち、底体３の部分はカップが転倒しないようにしっかり重心をとらえた位置に設定されていれば、どのような構造及び形状であってもよい。
【００１７】
上記図１及び図２に示した飲料用容器１０は、本体１とハンドル２と底体３とが一体成型されていたが、ハンドル２と底体３とを取り外し可能な構造としてもよい（下記の図３参照）。
【００１８】
図３は、ハンドル２と底体３とを取り外した状態を示す図である。図３に示すように、ハンドル２の端部には嵌合穴２Ａが設けられ、底体３の側面（又は上面）には突起部３Ａが設けられている。本実施形態では、底体３の突起部３Ａとハンドル２の嵌合穴２Ａとが嵌合することにより、ハンドル２と底体３が接合される。このように、ハンドル２と底体３とを取り外し可能な構造である場合は、飲料用容器１０を洗いやすくかつ収容しやすくすることができる。
【００１９】
上記図１及び図２に示した飲料用容器１０は、本体１とハンドル２と底体３とが一体成型されていたが、ハンドル２と本体１を取り外し可能な構造としてもよい（下記の図４参照）。
【００２０】
図４は、ハンドル２と本体１とを取り外した状態を示す図である。図４に示すように、ハンドル２の端部には嵌合穴２Ｂが設けられ、本体１の側面には突起部１Ｂが設けられている。本実施形態では、本体１の突起部１Ｂとハンドル２の嵌合穴２Ｂとが嵌合することにより、ハンドル２と本体１が接合される。このように、ハンドル２と本体１とを取り外し可能な構造である場合は、より一層、飲料用容器１０を洗いやすくかつ収容しやすくすることができる。
【００２１】
図５は、実施形態に係る飲料用容器の第１変形例の構成を示す図である。図５に示す第１変形例の飲料用容器２０では、本体２１の形状が細長い円柱形であって、本体２１の底部が丸みを帯びている。また、接合部材２２の一端が本体２１の側面の下部に接合され、接合部材２２の他端が底体２３の上面と接合されている。このような飲料用容器２０においても、本体２１が底体２３の上方に離間した状態で接合部材２２及び底体２３で支持されるので、本体２１の縁から伝わって飲料が垂れたり、本体２１の側面に生じる結露の水滴が垂れても、飲料や水滴がテーブル面まで伝わらず、飲料や水滴でテーブルが濡れるのを防止することができる。
【００２２】
図６は、実施形態に係る飲料用容器の第２変形例の構成を示す図である。図６に示す第２変形例の飲料用容器３０では、本体３１の形状が細長い円柱形又は角柱形であって、本体３１の底面が平らになっている。接合部材３２の一端が本体３１の側面の上部に接合され、本体３１の他端が底体３３の側面と接合されている。底体３３は箱型の形状（角柱形）に形成されている。このような飲料用容器３０においても、本体３１が底体３３の上方に離間した状態で接合部材３２及び底体３３で支持されるので、本体３１の縁から伝わって飲料が垂れたり、本体３１の側面に生じる結露の水滴が垂れても、飲料や水滴がテーブル面まで伝わらず、飲料や水滴でテーブルが濡れるのを防止することができる。
【００２３】
以上、本発明の実施形態を説明したが、本発明の技術的範囲は、上記の実施形態に記載の範囲には限定されない。本発明の趣旨を逸脱しない範囲で、上記の実施形態に、多様な変更または改良を加えることが可能である。また、上記の実施形態で説明した要件の１つ以上は、省略されることがある。そのような変更または改良、省略した形態も本発明の技術的範囲に含まれる。また、上記した実施形態や変形例の構成を適宜組み合わせて適用することも可能である。
【００２４】
例えば、飲料用容器１０の材質は、プラスチック、ガラス、陶器、ステンレスなどを用いることが可能である。また、本体１と底体３とが接合部材で接合されていればよく、使用者が持つ持ち手がなくてもよい。
【符号の説明】
【００２５】
１，２１，３１  本体
１Ｂ  突起部
２  ハンドル（接合部材）
２２，３２  接合部材
２Ａ，２Ｂ  嵌合穴
３，２３，３３  底体
３Ａ  突起部
１０，２０，３０  飲料用容器
【図１】
2018027148.tif 000003
【図２】
2018027148.tif 000004
【図３】
2018027148.tif 000005
【図４】
2018027148.tif 000006
【図５】
2018027148.tif 000007
【図６】
2018027148.tif 000008